(57)【要約】【課題】  各人の足裏ヤその他の身体部分のツボの位置が微妙に相違するが、そのツボ  の位置に関係なく、円柱体が回転移行し、円柱体が身体部分をローラー刺激し、ローラー刺激であるので、痛みを感ずることなく、長時間使用できる、マット、履物の中敷、履物の本底等健康器具を提供する。【解決手段】  下部シート６または下部プレートの上に１または平行に複数の円柱体４を並べ、その上を弾性または柔軟性のある上部シート７で覆い、下部シート６または下部プレートと上部シート７を重ね、それらの周縁部を接着または縫着して下部シート６または下部プレートと上部シート７の間に前記円柱体４が回転移行可能に収納した室１１を形成し、足裏、背中、臀部等人体の部分で上部シート７の上から押圧すると、円柱体４が室１１内で回転移行し、上部シート７に当接している人体部分をローラー刺激することを可能とする。【選択図】    図３
2005270151.tif 000002
【特許請求の範囲】
【請求項１】
下部シートまたは下部プレートの上に１または平行に複数の円柱体を並べ、その上を弾性または柔軟性のある上部シートで覆い、前記下部シートまたは下部プレートと上部シートを重ね、それらの周縁部を接着または縫着して前記下部シートまたは下部プレートと上部シートの間に前記円柱体が回転移行可能に収納した室を形成してなり、人体の部分で前記上部シートの上から押圧すると、前記円柱体が前記室内で回転移行し、前記上部シートに当接している人体部分をローラー刺激することを可能とする健康器具。
【請求項２】
下部シートまたは下部プレートの上に１または平行に複数の円柱体を並べ、その上を弾性または柔軟性のある上部シートで覆い、前記下部シートまたは下部プレートと上部シートを重ね、それらの周縁部を接着または縫着し、かつ、前記円柱体の１つまたは複数おきに、その間において平行に、下部シートまたは下部プレートと上部シートとを縫着または接着し、前記下部シートまたは下部プレートと上部シートの間に前記円柱体の１または複数が回転移行可能に収納した室を形成してなり、人体の部分で前記上部シ  ートの上から押圧すると、前記円柱体が前記室内で回転移行し、前記上部シートに当接している人体部分をローラー刺激することを可能とする健康器具。
【請求項３】
健康器具が、マット、または、履物の中敷であることを特徴とする請求項１または２に記載の健康器具。
【請求項４】
円柱体を回転移行可能に収納した室の列が、横に複数列に並んで設けられたことを特徴とする請求項１乃至３のいずれかに記載の健康器具。
【請求項５】
底部材の上面に１または複数の凹部を設け、該凹部のそれぞれに１または複数の円柱体を平行に収納し、前記底部材および円柱体の上方を弾性または柔軟性のある天板で覆い、前記底部材および天板の周縁を接着または縫着して、前記凹部と天板で、前記円柱体が回転移行可能な室を形成してなり、歩行により足裏で前記天板を押すと前記円柱体が前記室内で回転移行し、前記天板に当接している足裏の部分をローラー刺激することを可能とする履物の本底。
【発明の詳細な説明】
【技術分野】
【０００１】
この発明は、身体部分で押すと、円柱体の回転で身体部分をローラー刺激する健康器具に関するものである。
【背景技術】
【０００２】
従来、特許文献１に記載された健康サンダルのように、底の表面で、ツボ相当位置に突部を設け、歩行により突部が足裏を押して刺激する履物がある。
また、従来、プレートの上面に複数の突起を設けた足踏み板がある。
【特許文献１】実開平６−７２４０３号公報（要約、図１、図３）
【発明の開示】
【発明が解決しようとする課題】
【０００３】
ツボは各人により位置に微妙な差があるので、特許文献１に記載された健康サンダルのような履物では、突部がツボに正しく対応するものを求めることが難しく、従って、充分なツボ刺激の効果が求められず、痛みや不快を感ずるおそれがある。
従来の足踏み板も、突起の間隔が固定しており、足踏みの１回毎に突起の当たる位置が異なり、足裏のツボの位置に適応させるためには足裏の位置を変えて、感覚的に適応させなければならず、その適合はむつかしく、何回も足踏みして適合し、効率的でない。
【課題を解決するための手段】
【０００４】
下部シートまたは下部プレートの上に１または平行に複数の円柱体を並べ、その上を弾性または柔軟性のある上部シートで覆い、前記下部シートまたは下部プレートと上部シートを重ね、それらの周縁部を接着または縫着して前記下部シートまたは下部プレートと上部シートの間に前記円柱体が回転（回動）移行可能に収納した室を形成し、人体の部分で前記上部シートの上から押圧すると、前記円柱体が前記室内で回転移行し、前記上部シートに当接している人体部分をローラー刺激することを可能とする。
【０００５】
下部シートまたは下部プレートの上に１または平行に複数の円柱体を並べ、その上を弾性または柔軟性のある上部シートで覆い、前記下部シートまたは下部プレートと上部シートを重ね、それらの周縁部を接着または縫着し、かつ、前記円柱体の１つまたは複数おきに、その間に置いて平行に、下部シートまたは下部プレートと上部シートとを縫着または接着し、前記下部シートまたは下部プレートと上部シートの間に前記円柱体の１または複数が回転移行可能に収納した室を形成し、人体の部分で前記上部シ  ートの上から押圧すると、前記円柱体が前記室内で回転移行し、前記上部シートに当接している人体部分をローラー刺激することを可能とする。
【０００６】
上記健康器具を、マット、または、履物の中敷とする。
【０００７】
円柱体を回転移行可能に収納した室の列を、横に、複数列に並んで設けてもよい。
【０００８】
底部材の上面に１または複数の凹部を設け、該凹部のそれぞれに１または複数の円柱体を平行に収納し、前記底部材および円柱体の上方を弾性または柔軟性のある天板で覆い、前記底部材および天板の周縁を接着または縫着して、前記凹部と天板で、前記円柱体が回転移行可能な室を形成して本底とし、歩行により足裏で前記天板を押すと、前記円柱体が前記室内で回転移行し、前記天板に当接している足裏の部分をローラー刺激することを可能とするする。
【発明の効果】
【０００９】
円柱体が回転移行しローラー押圧刺激するので、各人のツボの位置の相違に関係なく、確実に人体の各部のツボを刺激し、ツボが外れることがない。
また、ローラー押圧であるので、痛みを感ずることなく、長時間使用できる。
【発明を実施するための最良の形態】
【００１０】
図１および２に健康履物の本底１を示す。
本底１は、底部材２に凹部３を設け、凹部３内に底部材２の中心線ｘ−ｘに対して直角で平行に円柱体４を複数個収納する。
円柱体４の直径は、凹部３の深さと実質的に同一か、または、極めて僅かに長くする。    
【００１１】
各円柱体４は、凹部３内を回転（回動）移行できるように、各円柱体４間に間隔を設ける。ただし、その間隔は、円柱体４の移行により変化する。
【００１２】
凹部３の上を覆って、弾性または柔軟性のある天板５の周縁部を底部２の上面周縁部に接着または縫着固定する。これにより、凹部３が天板５で覆われ、円柱体４を回転移行可能に収納した室を形成する。
【００１３】
底部材２に、複数の凹部３を設け、その各凹部３に１または複数の円柱体４を回転移行可能に収納してもよい。                                                              
【００１４】
この本底１に、鼻緒、ベルトや胛皮、踵側部等を取付けて履物とする。
【００１５】
この本底１を用いた履物を着用して歩行すると、足裏の踵から足先方向に順次天板５を押す位置が順次繰り返し移行し、天板５が弾性または柔軟性があるので、押す位置の下の円柱体４を順次押し、その反動で円柱体４が順次足裏を順次繰り返して押して刺激する。ところがその際に天板５で押された円柱体４は回転して移行するので、円柱体４での足裏押圧はローラーの押圧作用をする。従って、着用者によって足裏のツボの位置に僅かの差があっても、円柱体４がツボを確実に押す。また、円柱体が足裏をローラー押圧するので、痛くなく、長時間使用できる。
【００１６】
図３に示す中敷８は、下部シート６の上に、その縦の中心線に対して直角に複数の円柱体４を間隔をおいて平行に並べ、その上を上部シート７で覆い、下部シートの周縁を接着または縫糸９で縫着して固定したものである。この下部シート６と上部シート７との固定で、下部シート６と上部シート７との間に室１１が形成され、室１１内に複数の円柱体４が回転移行可能な状態で収納されている。
【００１７】
図４に示す中敷１０は、下部シート６の上に、その縦の中心線に対して直角に複数の円柱体４を間隔をおいて平行に並べ、その上を上部シート７で覆い、下部シート７の周縁を接着または縫糸９で縫着し、各円柱体４間で平行に、下部シート６と上部シート７を縫糸９で縫着したものである。縫着の代わりに、接着してもよい。
この下部シート６と上部シート７との固定で、下部シート６と上部シート７との間に複数の室１１が形成され、各室１１内に１個の円柱体４が回転移行可能な状態で収納されている。
【００１８】
図５に示す中敷１２は、下部シート６の上に、その縦の中心線に対して直角に複数の円柱体４を間隔をおいて並べ、その上を上部シート７で覆い、下部シート７の周縁を接着または縫糸９で縫着し、そして複数の円柱体４、図においては２または３の円柱体４、を越えて隣の円柱体４との間を平行に縫糸９で縫い付けてなり、下部シート６と上部シート７との間に複数の室１１が形成され、それぞれの室１１に複数の円柱体４が回転移行可能に収納されている。縫糸９による縫着の代わりに、接着してもよい。
【００１９】
この中敷８、１０、１２を用いて履物を着用し歩行すにと、上部シートに当接する足裏の位置が変わり、当接箇所の下の円柱体４が足裏に押されその反動で円柱体が足裏を押すが、円柱体は回転移行するので、ローラーとして足裏を押して刺激する。
【００２０】
図６および図７に示すマットは、足を載せて足を動かして足裏を刺激したり、その上に寝ころんで体を動かし、体の各部を刺激するためのものである。
【００２１】
図６に示すマット１３は、布、プラスチック、ゴムまたは木よりなる下部シート１４（プレート状のものを含む）の上に複数の円柱体４を平行に間隔を置いて並べ、その上に布、プラスチックシート、ゴムシート等弾性または柔軟性のある上部シート１５を重ね、下部シート１４と上部シート１５の周縁部を接着するか、または縫糸９で縫着して固定したものである。
このマット１３は、中敷８と同様に、下部シート１４と上部シート１５との間に１つの室が形成され、室内に複数の円柱体が回転移行可能に収納されている。隣接する円柱体４の間隔は、円柱体４の移行により変化する。
【００２２】
図７に示すマット１６は、下部シート１４の上に複数の円柱体を平行に間隔をおいて、かつ、２列に並べ、その上に上部シート１５を重ね、下部シート１４と上部シート１５の周縁部を接着するか、または縫糸９で縫着して固定し、円柱体の２列の間において平行に下部シート１４と上部シート１５を縫糸９で縫着したものである。２列の間を縫着する代わりに接着してもよい。
このマット１６の場合には、下部シート１４と上部シート１５との間に２つの室が並んで形成され、それぞれの室内に複数の円柱体が回転移行可能に収納されている。隣接する円柱体４の間隔は、円柱体４の移行により変化する。
【００２３】
マット１３は、中敷１０のように、複数の室のそれぞれの室に１つの円柱体が収納されるように、隣接する円柱体４の間において平行に、上部シート１５と下部シート１４とを縫い糸で縫着するか、または接着してもよい。
マット１３は、中敷１２のように、複数の室のそれぞれの室に複数の円柱体が収納されるように、複数の円柱体４と隣接する複数の円柱体との間において、上部シート１５と下部シート１４とを縫い糸で縫着するか、または接着してもよい。
【００２４】
マット１６は、中敷１０のように、複数の室のそれぞれの室に１つの円柱体が収納されるように、隣接する円柱体４の間において、上部シート１５と下部シート１４とを縫い糸で縫着するか、または接着し、室を横に２列に並べてもよい。
また、マット１６は、中敷１２のように、複数の室のそれぞれの室に複数の円柱体が収納されるように、複数の円柱体４と隣接する複数の円柱体との間において、上部シート１５と下部シート１４とを縫い糸で縫着するか、または、接着し、室を２列並べてもよい。      
【００２５】
マット１３および１６の面積は限定しない。
足裏を刺激するためのものは、片足または両足が載る程度の大きさでよい。そのマットを炊事場、洗面場、作業台前等に置いて、作業しながら、片足または両足を置いてマットを足で押しながら足をスライドさせればよい。円柱体４が回転移行してローラーとして足裏を押圧刺激する。
体の各部を刺激するためのものは、寝ころべる程度の大きさとする。マットの上に寝ころんで、体を伸ばした状態で体を反復スライドさせるか、または、体を丸めてローリングするようにすれば、体の各部で上部シートの上から円柱体４を押すことになり、円柱体が回転移行してローラーとして体の各部を押圧刺激する。
体の各部を刺激するためのものは、平行に並べた円柱体４の列を２列またはそれ以上の列とするのが好ましい。
【図面の簡単な説明】
【００２６】
【図１】履物の本底の断面図である。
【図２】履物の本底の典範を除いたものの平面図である。
【図３】中敷の断面図である。
【図４】他の実施の形態の中敷の断面図である。
【図５】他の実施の形態の中敷の断面図である。
【図６】マットの斜視図である。
【図７】他の実施の形態のマットの斜視図である。
【符号の説明】
【００２７】
１  本底
２  底部材
３  凹部
４  円柱体
５  天板
６  下部シート
７  上部シート
８  中敷
９  縫糸
１０  中敷
１１  室
１２  中敷
１３  マット
１４  下部シート
１５  上部シート
１６  マット
【図１】
2005270151.tif 000003
【図２】
2005270151.tif 000004
【図３】
2005270151.tif 000005
【図４】
2005270151.tif 000006
【図５】
2005270151.tif 000007
【図６】
2005270151.tif 000008
【図７】
2005270151.tif 000009